(57)【要約】【課題】コールドドラフト解消しかつ夏場には暑さを感じさせないことを目的とする。【解決手段】大風量運転時には、前記フラップを正回転方向に回転させ、前記フラップを下方向に向けて風向きを下方向に吹きだすようにしたという構成にしたことにより、低風量な常時給気時の風向きを、上方向に吹きだし、大風量の時には、風向きを下方向に吹きだすこととなるので、低風量な常時給気時に、風向きを上方向に吹きだすことにより、人に直接風が当たらないようにして、寒気を感じさせないようにし、大風量給気時には、風向きを下方向に吹きだし、人に涼風感を感じさせることができ、よって、一般の給気換気扇において、コールドドラフト解消しかつ夏場には暑さを感じさせない給気装置を得られる。【選択図】図２
2012167916.tif 000002
【特許請求の範囲】
【請求項１】
家屋の室内壁面に設置する本体に、室内外からの空気を取り入れる開口部を設け、前記開口部から前記室内までの風路部を設け、前記風路部には、前記室内に空気を送り出すファン部と、前記ファン部を強制的に回転させるファンモーター部とを設け、前記風路部の前面には、前記風路部の全閉から開放できるフラップ部を設け、前記フラップ部を正回転および反正回転に回転させるフラップ駆動モーター部と、前記フラップ駆動モーター部の回転方向、回転角度および前記ファンモーター部の運転、停止、速調を制御する制御回路部とを設け、低風量な常時給気時には、前記フラップ駆動モーター部を反正回転方向に回転させ前記風路部の上部を開放して給気の風向きを上方向に吹きだすようにし、大風量運転時には、前記フラップを正回転方向に回転させ、前記フラップを下方向に向けて風向きを下方向に吹きだすようにしたことを特徴とする給気装置。
【請求項２】
室内および室内外の給気吸込み側に温度センサーを設け、前記温度センサーの入力値によりフラップの回転方向、回転角度の調整、およびファンモーター部の運転、停止、速調の調整が行えるようにした請求項１に記載の給気換気扇。
【請求項３】
室内側に人感センサーを設け、人が部屋内に居るいないを判断し、フラップの回転方向、回転角度の調整、ファンモーターの運転、停止、速調の調整が行えるようにした請求項１および２に記載の給気換気扇。
【発明の詳細な説明】
【技術分野】
【０００１】
本発明は、室内に空気を送り込む給気装置に関するものである。
【背景技術】
【０００２】
従来、この種の給気装置は、フラップにて風向きを上向きに吹き出すものが知られている。
【０００３】
以下、その給気装置について、図５を参照しながら説明する。
【０００４】
図５に示すように、給気装置本体１０１の前面に上方向に開口できるフラップ１０２を備え、給気装置１０１運転時にフラップ１０２を駆動して上方向が開口することにより、室内に送りだす空気を、上方向に吹き出すことができる。（例えば、特許文献１参照）。
【先行技術文献】
【特許文献】
【０００５】
【特許文献１】特開平１０−２８１５２６号公報
【発明の概要】
【発明が解決しようとする課題】
【０００６】
このような従来の給気装置においては、一般的にコールドドラフト解消のため、フラップを斜め上方に向けて上方向の風向きにしているが、夏場には暑さを感じる、という課題を有していた。
【０００７】
そこで本発明は、上記従来の課題を解決するものであり、コールドドラフトを解消しかつ夏場には暑さを感じさせない給気装置を提供することを目的とする。
【課題を解決するための手段】
【０００８】
そして、この目的を達成するために、本発明は、家屋の室内壁面に設置する本体に、室内外からの空気を取り入れる開口部を設け、前記開口部から前記室内までの風路部を設け、前記風路部には、前記室内に空気を送り出すファン部と、前記ファン部を強制的に回転させるファンモーター部とを設け、前記風路部の前面には、前記風路部の全閉から開放できるフラップ部を設け、前記フラップ部を正回転および反正回転に回転させるフラップ駆動モーター部と、前記フラップ駆動モーター部の回転方向、回転角度および前記ファンモーター部の運転、停止、速調を制御する制御回路部とを設け、低風量な常時給気時には、前記フラップ駆動モーター部を反正回転方向に回転させ前記風路部の上部を開放して給気の風向きを上方向に吹きだすようにし、大風量運転時には、前記フラップを正回転方向に回転させ、前記フラップを下方向に向けて風向きを下方向に吹きだすようにした、としたものであり、これにより所期の目的を達成するものである。
【発明の効果】
【０００９】
本発明によれば、低風量な常時給気時には、フラップ駆動モーター部を反正回転方向に回転させ風路部の上部を開放して給気の風向きを上方向に吹きだすようにし、大風量運転時には、フラップを正回転方向に回転させ、フラップを下方向に向けて風向きを下方向に吹きだすようにしたという構成にしたことにより、低風量な常時給気時の風向きを、上方向に吹きだし、大風量の時には、風向きを下方向に吹きだすこととなるので、低風量な常時給気時に、風向きを上方向に吹きだすことにより、人に直接風が当たらないようにして、寒気を感じさせないようにし、大風量給気時には、風向きを下方向に吹きだし、人に涼風感を感じさせることができ、よって、一般の給気換気扇において、コールドドラフト解消しかつ夏場には暑さを感じさせないという効果を得ることができる。
【図面の簡単な説明】
【００１０】
【図１】本発明の実施の形態１の給気装置の設置状態を示す斜視図
【図２】同断面斜視図、（ａ）（ｂ）同フラップ開口図
【図３】本発明の実施の形態２の給気装置の斜視図
【図４】本発明の実施の形態３の給気装置の斜視図
【図５】従来の給気装置の断面図
【発明を実施するための形態】
【００１１】
本発明の請求項１記載の給気装置は、家屋の室内壁面に設置する本体に、室内外からの空気を取り入れる開口部を設け、前記開口部から前記室内までの風路部を設け、前記風路部には、前記室内に空気を送り出すファン部と、前記ファン部を強制的に回転させるファンモーター部とを設け、前記風路部の前面には、前記風路部の全閉から開放できるフラップ部を設け、前記フラップ部を正回転および反正回転に回転させるフラップ駆動モーター部と、前記フラップ駆動モーター部の回転方向、回転角度および前記ファンモーター部の運転、停止、速調を制御する制御回路部とを設け、低風量な常時給気時には、前記フラップ駆動モーター部を反正回転方向に回転させ前記風路部の上部を開放して給気の風向きを上方向に吹きだすようにし、大風量運転時には、前記フラップを正回転方向に回転させ、前記フラップを下方向に向けて風向きを下方向に吹きだすようにしたという構成を有する。これにより、低風量な常時給気時の風向きを、上方向に吹きだし、大風量の時には、風向きを下方向に吹きだすこととなるので、低風量な常時給気時に、風向きを上方向に吹きだすことにより、人に直接風が当たらないようにして、寒気を感じさせないようにし、大風量給気時には、風向きを下方向に吹きだし、人に涼風感を感じさせることができ、よって、一般の給気換気扇において、コールドドラフト解消しかつ夏場には暑さを感じさせないという効果を奏する。
【００１２】
また、室内および室内外の給気吸込み側に温度センサーを設け、前記温度センサーの入力値によりフラップの回転方向、回転角度の調整、およびファンモーター部の運転、停止、速調の調整が行えるようにしたという構成にしてもよい。これにより、温度センサーによる室内および室内外の温度の検出により、フラップの角度およびファンモーターの運転、停止、速調の調整をすることとなるので、自動的に最適な風向きおよび最適な風量調整ができ、人に涼風感を与えたり、寒気を感じさせない快適な環境を提供することができるという効果を奏する。
【００１３】
また、室内側に人感センサーを設け、人が部屋内に居るいないを判断し、フラップの回転方向、回転角度の調整、ファンモーターの運転、停止、速調の調整が行えるようにしたという構成にしてもよい。これにより、人感センサーによる人の検出の有無により、フラップの角度およびファンモーターの運転、停止、速調の調整をすることとなるので、人が部屋に居るときは、自動的に最適な風向き、最適な風量調整を行い、人に涼風感を与えたり、寒気を感じさせない快適な環境を提供し、かつ人が居なくなれば、低風量の常時給気状態に変更することにより、無駄な過多風量での運転をなくすことができるという効果を奏する。
【００１４】
以下、本発明の実施の形態について図面を参照しながら説明する。
【００１５】
（実施の形態１）
図１および図２に示すように、家屋の室内壁面１に設置された本体２の壁面１内部に埋め込まれた下面に室内以外からの空気を取り入れる開口部３を設け、前記開口部３から、前記室内側に向けて風路部４を設け、前記風路部４には、前記開口部３から入ってくる空気を室内に送り出すファン部５を設け、前記ファン部５を強制的に回転させる速調機能を備えたファンモーター部６を設け、室内側の風路部４には、風路部４の全閉から全開までを回転することによって実施できるフラップ部７を設け、前記フラップ部７を正回転および反正回転に強制的に回転させるステッピングモーター８を設け、前記ステッピングモーター８の回転方向、回転角度および前記ファンモーター部６の運転、停止、速調を制御する制御回路部９とを設けたものである。
【００１６】
このような構成によれば、例えば１００ｍ3／ｈ以下の低風量な常時給気時には、前記ステッピングモーター８を反正回転方向に回転させ、フラップ部７の上部側が前面に出る形となり、開口部３から取り入れた空気は、室内側の天井方向に向かって吹きだすことになる。
【００１７】
よって常時駆動している低風量な常時換気時には、天井に向かって吹きだすことにより、人に風が直接あたらないようにすることができる。
【００１８】
また１００ｍ3／ｈ以上の大風量運転時には、前記フラップ部７を正回転方向に回転させ、前記フラップ部７の下部が前面に出るようになり、空気は下方向に向けて吹きだすようにし、大風量運転時には、人が居る空間に直接風を当てるようにすることができる。
【００１９】
（実施の形態２）
図３において、図１および図２と同様の構成要素については同一の符号を付し、その詳細な説明は省略する。
【００２０】
図３は実施の形態２の構成図を示し、室内側に室内の温度を測定する温度センサー１０を設け、室内以外の温度を測定する温度センサー１１を設け、例えば外気の温度を測定する場合は、外壁１２に取付け、上記２つの温度センサー１０、１１の測定値を制御回路部９に取込み、測定値によってフラップ部７の駆動、ファンモーター部６の運転、停止、速調を調整できることとなる。
【００２１】
上記構成においては、温度センサー１０、１１の温度測定値によって季節を判断し、夏と判断した場合は、大風量時には、ステッピングモーター８でフラップ部７を回転させ、人が存在する下方向に風を吹きだすようにした。低風量時においては風は上方向に吹き出すように駆動する。
【００２２】
温度センサー１０，１１で冬と判断した場合は、大風量に切り替えても人に風があたらないように、フラップ部７は風が上方向に吹き出すように駆動し、低風量時の常時給気時においても風は上方向に吹き出すように駆動する。
【００２３】
（実施の形態３）
図４は、本体２の室内側に人の動き存在を感知する人感センサー１３を設けたものである。
【００２４】
上記構成においては、上記人感センサー１３が部屋内の人の存在の有無を判断し、温度センサー１０、１１の測定値で夏と判断した場合、人が存在する場合は、ファンモーター部６の速調を大風量に切替え、ステッピングモーター８でフラップ部７を回転させ、人が存在する下方向に風を吹きだすようにした。前記人感センサー１３が人の存在を検知しない場合は、ファンモーター部６の速調を低風量に切替え、ステッピングモーター８でフラップ部７を回転させ、上方向に風が吹き出すようにした。
【００２５】
人の存在を検知し、温度センサー１０，１１で冬と判断した場合は、大風量に切り替えても人に風があたらないように、フラップ部７は風が上方向に吹き出すように駆動する。冬と判断している状態で人の存在を検知しない場合は、フラップ部７は風が上方向に吹き出すように駆動し、速調は低風量に切り替える。
【００２６】
人感センサー１３が長期間例えば２日以上人の存在を検知しない場合は、ファンモーター部６を停止し、フラップ部７は風路部４を全閉状態になるように駆動する。
【００２７】
再度前記人感センサー１３が人の存在を検知した場合、温度センサー１０、１１の測定値による運転の開始を実施する。
【産業上の利用可能性】
【００２８】
本発明にかかる給気装置は、コールドドラフト解消しかつ夏場には暑さを感じさせないということを可能とするものであるので、リビング等の居室等に使用される室内に空気を送り込む給気装置等として有用である。
【符号の説明】
【００２９】
１    壁面
２    本体
３    開口部
４    風路部
５    ファン部
６    ファンモーター部
７    フラップ部
８    ステッピングモーター
９    制御回路部
１０  温度センサー
１１  温度センサー
１２  外壁
１３  人感センサー
【図１】
2012167916.tif 000003
【図２】
2012167916.tif 000004
【図３】
2012167916.tif 000005
【図４】
2012167916.tif 000006
【図５】
2012167916.tif 000007